(57)【要約】      （修正有）【課題】構造が簡単で、確実に獣類の足を捕捉することができる獣類の足くくり罠を提供する。  【解決手段】縮径可能な輪が形成された罠ロープ２と、直線状の棒部と該棒部を接近させることにより付勢力が付与される棒部間に形成されたコイル部とからなるバネ部材３と、地表に強固に定着された部材に固定する固定部材５とを有する獣類の足くくり罠であって、該バネ部材に付勢力を付与した状態に維持して外力が作用したときにバネを復元させるように係止を解く係止部材４が設けられ、該係止部材をバネ部材の一方端部に設けたフック部材と、他方端部に設けたリング部材と該フック部材とリング部材を重合した状態で係止する棒状の弾き止め部材で構成し、前記罠ロープの端部がバネ部材の棒部の端部に取り付けられてなる手段を有する。【選択図】図１
0003150246.tif 000002
【実用新案登録請求の範囲】
【請求項１】
縮径可能な輪が形成された罠ロープと、直線状の棒部と該棒部同士を接近させることにより付勢力が付与される棒部間に形成されたコイル部とからなるバネ部材と、前記罠ロープの端部を撚り戻し部材を介して接続して地表に強固に定着された部材に固定する固定部材とを有する獣類の足くくり罠であって、該バネ部材に付勢力を付与した状態に維持して外力が作用したときにバネを復元させるように係止を解く係止部材が設けられ、前記罠ロープの端部がバネ部材の棒部の端部に取り付けられて、バネ部材の復元時に罠ロープの端部が引っ張られて罠ロープの輪が縮径されるようにしたものにおいて、前記係止部材をバネ部材の棒部の一方端部に縣架した剛性輪体に吊設してなるフック部材と、他方端部に設けたリング部材と該フック部材とリング部材を重合した状態で係止する棒状の弾き止め部材で構成するのに、前記フック部材を剛性輪体の吊設部より前方に弾き止め部材を抱持挿通するフック部を形成すると共に、剛性輪体の吊設部より後方に引っ掛け用鈎部を設けた天秤構成にし、上記リング部材の先端を該引っ掛け用鈎部に引っ掛けた状態にして、リング部材の中間をフック部材と重合した状態にして棒状の弾き止め部材で係止するように構成し、該弾き止め部材を罠ロープの輪の設定位置下方に設けた足踏み部材に接続して、獣類の足踏みに伴う足踏み部材の下動外力に応じて前記弾き止め部材が引き抜かれて、前記フック部材の引っ掛け用鈎部とリング部材との係止が解除されてバネ部材が復元して罠ロープの端部が引っ張られて罠ロープの輪が縮径されるようにしたことを特徴とする獣類の足くくり罠。
【請求項２】
前記罠ロープが柔らかくて靱性のある細いワイヤーロープで構成され緩み止め部材を介して括り輪が形成されたものとし、該罠ロープに撚り戻し部材を介して接続される固定部材を硬質性の太いワイヤーロープとしたことを特徴とする請求項１に記載の獣類の足くくり罠。
【考案の詳細な説明】
【技術分野】
【０００１】
本考案は、猪、鹿、熊等の獣類の足くくり罠に係り、より詳細には、罠ロープを縮径可能な輪状に形成して罠部にするとともに係止部材の弾き止め解除作用を更に抵抗無く円滑にして、罠部を確実に縮径することができて獣類の捕捉を確実にできることと、更に該罠ロープを撚り戻し部材を介して固定部材に接続することにより、罠部で捕捉した獣類が暴れても罠ロープが捩れることがなく、獣類の足の外れを防ぐことができる獣類の足くくり罠に関する。
【背景技術】
【０００２】
ロープにループ状の罠部を形成し、獣類を捕獲する捕獲具としては、縮径可能な輪が形成された罠ロープと、該縮径可能な輪を跳ね上げるもので、地表に固定する直線状の固定棒部と該固定棒部に接近させることにより付勢力が付与される直線状の作動棒部間に形成されたコイル部とから成り該作動棒部の端部に該罠ロープの端部が取り付けられるバネ部材と、地表に強固に定着された樹木部材などに固定するもので該罠ロープに連結する固定部材とを有する獣類の足くくり罠が下記特許文献１、２で知られており、本実用新案登録願の出願人に係る特許文献３も知られている。
【先行技術文献】
【特許文献】
【０００３】
【特許文献１】特許第３１０１９０５号公報
【特許文献２】特許第３４９５９５８号公報
【特許文献３】実用新案登録第３１２９８９１号公報
【考案の概要】
【考案が解決しようとする課題】
【０００４】
しかし、上述の特許文献１の係止部材の構成は微妙な天秤バランス作用を必要としているもので何らかの拍子に不意に係止部材が外れる恐れが考えられ、特別な止め部材などを必要とするもので、獣類の捕獲には確実性に今一歩不安のあるものであった。
また、上述の特許文献２のものは括りバネ支持具の支持台構成が目立つ感じのものであり猪などの獣類が警戒して罠に近づかない恐れがあった。
さらに、上述の特許文献３のものは猪などの獣類を警戒なく足踏み部材に誘導できて捕獲確立を高める利点を有する実績を有して好評を得ているが、獣類の足踏みに伴う足踏み部材の下動外力に応じて前記弾き止め部材が引き抜かれて、フック部材とリング部材の係止が解除されてバネ部材が復元して罠ロープの端部が引っ張られて罠ロープの輪が縮径されるようにする際に、フック部材とリング部材の係止力は、バネ部材の復元力がすべて荷重されている形態にあるので、罠の使用回数が増えてきて、フック部材やリング部材、弾き止め部材などに擦り傷などが発生してくると、摩擦抵抗力が増してきて弾き止め部材の引き抜き力が強くなって引き抜かれない状態を誘因する恐れがあり、折角、足踏み部材を踏んだ獣類を取り逃がす恐れがあった。
【０００５】
そこで、本考案者は、このような問題に鑑み、獣類の足くくり罠について種々研究し、従来の問題点を解消するためにバネの復元を止めておく係止部材を直線状に抜き差しする形態の棒状の弾き止め部材として、更に弾き止め部材の係止構造に天秤構成を追加するように工夫して確実性を増大しロープ罠の輪の中に位置させて配置した足踏み部材に連動させて、獣類が輪に足を入れたとき等に係止部材の係止を更に抵抗無く迅速に外すことにより、完全に確実に輪で獣類の足を捕捉することができることを究明した。
【０００６】
本考案は、上述した問題に対処して創案したものであって、その目的とする処は、構造が簡単で、確実に獣類の足を捕捉することができ、捕捉した獣類が暴れても罠ロープが捩れることがなく足の外れを防ぐことができる獣類の足くくり罠を提供することにある。
【課題を解決するための手段】
【０００７】
そして、上記目的を達成するための手段としての本考案の請求項１の獣類の足くくり罠は、縮径可能な輪が形成された罠ロープと、直線状の棒部と該棒部同士を接近させることにより付勢力が付与される棒部間に形成されたコイル部とからなるバネ部材と、前記罠ロープの端部を撚り戻し部材を介して接続して地表に強固に定着された部材に固定する固定部材とを有する獣類の足くくり罠であって、該バネ部材に付勢力を付与した状態に維持して外力が作用したときにバネを復元させるように係止を解く係止部材が設けられ、前記罠ロープの端部がバネ部材の棒部の端部に取り付けられて、バネ部材の復元時に罠ロープの端部が引っ張られて罠ロープの輪が縮径されるようにしたものにおいて、前記係止部材をバネ部材の棒部の一方端部に縣架した剛性輪体に吊設してなるフック部材と、他方端部に設けたリング部材と該フック部材とリング部材を重合した状態で係止する棒状の弾き止め部材で構成するのに、前記フック部材を剛性輪体の吊設部より前方に弾き止め部材を抱持挿通するフック部を形成すると共に、剛性輪体の吊設部より後方に引っ掛け用鈎部を設けた天秤構成にし、上記リング部材の先端を該引っ掛け用鈎部に引っ掛けた状態にして、リング部材の中間をフック部材と重合した状態にして棒状の弾き止め部材で係止するように構成し、該弾き止め部材を罠ロープの輪の設定位置下方に設けた足踏み部材に接続して、獣類の足踏みに伴う足踏み部材の下動外力に応じて前記弾き止め部材が引き抜かれて、前記フック部材の引っ掛け用鈎部とリング部材との係止が解除されてバネ部材が復元して罠ロープの端部が引っ張られて罠ロープの輪が縮径されてなる構成としている。
【０００８】
請求項２の獣類の足くくり罠は、前記請求項１の獣類の足くくり罠において、罠ロープが柔らかくて靱性のある細いワイヤーロープで構成され緩み止め部材を介して括り輪が形成されたものとし、該罠ロープに撚り戻し部材を介して接続される固定部材を硬質性の太いワイヤーロープとからなる構成としている。
【考案の効果】
【０００９】
本考案の獣類の足くくり罠は、上記のように縮径可能な輪が形成された罠ロープと、直線状の棒部と該棒部を接近させることにより付勢力が付与される棒部間に形成されたコイル部とからなるバネ部材と、地表に強固に定着された部材に固定する固定部材とを有する獣類の足くくり罠であって、該  バネ部材に付勢力を付与した状態に維持して外力が作用したときにバネを復元させるように係止を解く係止部材が設けられ、罠ロープの端部がバネ部材の棒部の端部に取付けられてなる。そして、前記係止部材をバネ部材の棒部の一方端部に縣架した剛性輪体に吊設してなるフック部材と、他方端部に設けたリング部材と該フック部材とリング部材を重合した状態で係止する棒状の弾き止め部材で構成するのに、前記フック部材を剛性輪体の吊設部より前方に弾き止め部材を抱持挿通するフック部を形成すると共に、剛性輪体の吊設部より後方に引っ掛け用鈎部を設けた天秤構成にし、上記リング部材の先端を該引っ掛け用鈎部に引っ掛けた状態にして、リング部材の中間をフック部材と重合した状態にして棒状の弾き止め部材で係止するように構成し、該弾き止め部材を罠ロープの輪の設定位置下方に設けた足踏み部材に接続して、獣類の足踏みに伴う足踏み部材の下動外力に応じて前記弾き止め部材が引き抜かれて、前記フック部材とリング部材の係止が解除されてバネ部材が復元して罠ロープの端部が引っ張られて罠ロープの輪が縮径されてなる構成としている。従って、上記リング部材の先端を該引っ掛け用鈎部に引っ掛けた状態にすることによりバネ部材の復元力を止め、リング部材の中間をフック部材と重合した状態にして棒状の弾き止め部材を軽い力で係止するようにしてあり、かつフック部材の天秤構成は簡単であるので、加工および設定が容易であり、弾き止め部材は直線的に引き抜かれることにより、タイミング良く確実に係止部材が外れて罠ロープで獲物を捕獲することができる。
【００１０】
また、請求項２の考案によれば、罠ロープが柔らかくて靱性のある細いワイヤーロープで構成され緩み止め部材を介して括り輪が形成されたものとしているので、動物の足がはまると、確実に括り輪が足を縛り、緩み止め部材により括り輪が不測に緩むことがなく、獣類の足を確実に捕捉し、獲物を捕獲することができる。そして、撚り戻し部材を介して接続されることにより、罠部で捕捉した獣類が暴れても罠ロープが捩れることがなく、獣類の足の外れを防ぐことができる。
【図面の簡単な説明】
【００１１】
【図１】従来の獣類の足くくり罠の設置状態を説明するための説明図である。
【図２】従来の足くくり罠の係止部材の構成を示す説明図である。
【図３】緩み止め部材の構成を示す説明図である。
【図４】撚り戻し部材の構成を示す説明図である。
【図５】バネ部材が撥ねて獣類を足を括った状態を説明するための説明図である。
【図６】本考案の足くくり罠の係止部材の要部係止状態を示す側面説明図である。
【図７】本考案の足くくり罠の係止部材の要部係止状態を示す正面説明図である。
【図８】本考案の足くくり罠の係止部材の要部解除状態を示す側面説明図である。
【図９】本考案の足くくり罠の係止部材の要部解除状態を示す正面説明図である。
【考案を実施するための形態】
【００１２】
以下、図面を参照しながら、本考案を具体化した実施形態について説明する。本実施形態の獣類の足くくり罠１は、縮径可能な括り輪２ａが形成された罠ロープ２と、この罠ロープ２の端部に取付けられたバネ部材３と、バネ部材３の付勢力に逆らってバネ部材３が復元するのを阻止する係止部材４と、地表に強固に定着された部材Ｔに固定する固定部材５とからなり、バネ部材３は剛性の棒部３１，３２と、これらの中間に形成されたコイル部３３とからなり、一方の棒部３１の端部に設けた環部材３１ａに罠ロープ２の一端が挿通して取り付けられている。
【００１３】
罠ロープ２は、柔らかくて靱性のある細いワイヤーロープ２１からなり、地表面に広げられて配置され、獣の足を捕捉して縮径して足が外れるのを防ぎ、獣類を捕獲するための部材であり、ワイヤ２１の一方の端部２１ａを緩み止め部材２２の孔２２ａに挿通してかしめ部材２１ｂで抜け止め部を形成する。そして、この緩み止め部材２２に設けた長孔２２ｂ、孔２２ｃにワイヤ２１の他端を挿通することにより縮径可能に括り輪２ａを形成している。この罠ロープ２は、強度を大きくして可撓性を持たせるように鋼ワイヤを複数本を撚りあわせて柔らかくて靱性のある細いワイヤーロープに形成している。他方の端部は重ね合わせて、かしめ部材２３により締結して連結輪２４を形成している。そして、この連結輪２４形成時に、他の部材、例えば固定ロープ（固定部材５）に連結する撚り戻し部材からなる連結金具２５の連結部（両端の孔２５ａ）に嵌め、環部材３１ａを端部側に掛けて罠ロープ２をバネ部材３の端部に取り付ける。
【００１４】
バネ部材３は、付勢力が付与されて係止されるようになっており、その係止が解かれると急激に復元する部材で、復元するときに罠ロー  プ２の他方端を急速に引くためのものであり、一本の棒部材３の中央部が巻かれてコイル部３２が形成され、コイル部３２の両端にほぼ直線の棒部３１，３２が形成されている。棒部３１にはバネ部材３を折り曲げて付勢力を付与した状態に維持して、バネ部材３の付勢力に逆らってバネ部材３が復元するのを阻止する係止部材４を設けている。この前記係止部材４は、図２に示す従来形態において説明すると、バネ部材３の棒部３１の一方端部３１ｚに設けた鉤状に形成したフック部材４ａと、他方の棒部３２の端部３２ｚに設けたリング部材４ｂと該フック部材４ａとリング部材４ｂを重合した状態で係止する棒状の弾き止め部材４ｃで構成し、該弾き止め部材４ｃを罠ロープ２の括り輪２ａの設定位置下方に設けた足踏み部材に索引部材４ｄで接続して、獣類の足踏みに伴う足踏み部材６の下動外力に応じて前記弾き止め部材４ｃが引き抜かれて、前記フック部材４ａとリング部材４ｂの係止が解除されてバネ部材３が復元すると、上記棒部３１に針金等の巻き付け部材Ｍを介して罠ロープ２の一端が結線して取り付けられているので、該バネ部材３の復元により罠ロープ２の端部が引っ張られて罠ロープの括り輪２ａが縮径して獣の足を捕捉する動作を行わせるようにされている。
【００１５】
これを本考案においては、前記係止部材４をバネ部材３の棒部３１，３２の一方端部３２ｚに縣架した針金などの剛性線材からなる剛性輪体Ｘに回動自在に吊設してなるフック部材４ａと、他方端部に設けたリング部材４ｂと該フック部材４ａとリング部材４ｂを重合した状態で係止する棒状の弾き止め部材４ｃで構成するのに、前記フック部材４ａを剛性輪体Ｘの吊設部より前方に弾き止め部材４ｃを抱持挿通するフック部４ａ１を形成すると共に、剛性輪体Ｘの吊設部より後方に引っ掛け用鈎部４ａ２を設けた天秤構成にし、上記リング部材４ｂの先端を該フック部材４ａの引っ掛け用鈎部４ａ２に引っ掛けた状態にして、リング部材４ｂの中間をフック部材４ａのフック部４ａ１と重合した状態にして棒状の弾き止め部材４ｃで係止するように構成し、該弾き止め部材４ｃを罠ロープ２の括り輪２ａの設定位置下方に設けた足踏み部材に索引部材４ｄで接続して、獣類の足踏みに伴う足踏み部材６の下動外力に応じて前記弾き止め部材４ｃが引き抜かれて、前記フック部材４ａの引っ掛け用鈎部４ａ２とリング部材４ｂとの係止が解除されてバネ部材３が復元すると、上記棒部３１に針金等の巻き付け部材Ｍを介して罠ロープ２の一端が結線して取り付けられているので、該バネ部材３の復元により罠ロープ２の端部が引っ張られて罠ロープの括り輪２ａが縮径して獣の足を捕捉する動作を行わせるようにされている。
【００１６】
固定部材５は、罠ロープと同様の強度が大きくて可撓性がある鋼ワイヤを複数本を撚りあわせて比較的硬質性の太いワイヤーロープに形成している。一方の端部は重ね合わせて、かしめ部材２３により締結して連結輪５２を形成し、この連結輪５２を前記連結金具２５の連結孔２５に挿通して止めることにより連結金具２５の相対的回動による撚り戻し機構によりロープの撚りを防止した状態で罠ロープ２と連結している。
【００１７】
次に、上記のように構成した本実施形態の獣類の足くくり罠の設置方法を説明する。先ず、動物の通る獣道に直径約１５ｃｍ、深さ約１５〜２０ｃｍの穴Ｈを堀り、格子状の足踏み部材６を針金で支えて穴Ｈの中心部に少し浮かせるようにセットする。そして、穴表面に細い枝などの支持梁７を渡して枯れ葉８で表面を覆って穴を塞ぐ。この場合、穴は落とし穴で、動物が乗って穴が落ちたら、足踏み部材６を踏み込むことにより係止部材４の弾き止め部材４ｃの係止が外れる外力が作用し、罠ロープの輪が締まって足を捕捉する大きさである。支持梁７は動物の足が乗ったら折れるか、外れるかして落ちるようにする。そして、支柱９を地中に埋め、バネ部材３の罠ロープを取付けていない方の棒部３２を地中に埋めてこの支柱９に固定すると共に、固定部材５を立木１０等に締結する。バネ部材３を係止部材４で付勢状態を係止して、係止部材４に連繋した足踏み部材６を穴Ｈの内部に浮かせて設置し穴Ｈの周りに罠ロープ２の括り輪２ａを配置し、さらにこれらの表面を枯れ葉、又は土で覆う。このように設置しておくと獣道に全く目立たない状態に設置するので猪等の獣類が警戒することもなく自然な状態で獣道を往来することになる。そして、適宜、見回って罠の状態を点検するとともに、獲物のかかりを見る。
【００１８】
もし、獲物が穴Ｈに足を入れて落ちると、係止部材４の足踏み部材６を押し下げ、係止部材４の弾き止め部材４ｃを牽くこととなり、弾き止め部材４ｃが引き抜かれて弾き止め部材４ｃの係止が外れるとフック部材４ａの引っ掛け用鈎部４ａ２とリング部材４ｂとの係止が解除される。これによりバネ部３３の付勢力を止めていた係止が外れるので、バネ部３３の付勢力によりバネが復元して、棒部３１が伸びる。このとき一方の棒部３２は地中に埋められて支柱９に固定されているので、他方の棒部３１が上方に旋回することになる。この棒部３１には、罠ロープ２の一端が針金等の巻き付け部材Ｍで結線して取り付けられているので、棒部３１の上方旋回に伴って罠ロープ２が瞬時に引かれ、輪２３の中に入れた足を引き抜く間もないので、輪が縮径して締まり、足を外すことができなくなり、動物を捕捉することがきる。
【００１９】
この時、上記リング部材の先端を該引っ掛け用鈎部に引っ掛けた状態にすることによりバネ部材の復元力を止め、リング部材の中間をフック部材と重合した状態にして棒状の弾き止め部材を軽い力で係止するようにしてあり、かつフック部材の天秤構成は簡単であるので、加工および設定が容易であり、且つ外力が作用しない限り不測に弾き外れることの恐れが少なく、獲物の足が穴に落ちた瞬間に弾き止め部材は直線的に引き抜かれることにより、係止解除の荷重を少なくしてタイミング良く確実に係止部材が外れて罠ロープで獲物を捕獲することができる。
また、罠ロープが柔らかくて靱性のある細いワイヤーロープで構成され緩み止め部材を介して括り輪が形成されたものとしているので、動物の足が嵌ると、確実に括り輪が足を縛り、緩み止め部材により括り輪が不測に緩むことがなく、獣類の足を確実に捕捉し、獲物を捕獲することができる。そして、撚り戻し部材を介して接続されることにより、罠部で捕捉した獣類が暴れても罠ロープが捩れることがなく、獣類の足の外れを防ぐことができる。
【００２０】
なお、本考案は、上述した実施形態に限定されるものでなく、本考案の要旨を変更しない範囲内で変形実施できるものを含む。因みに、上述した実施形態では、足踏み部材を格子状部材で形成した構成で説明したが、単に穴の上部に渡す部材に係止部材を連繋する構成にしてもよい。その他、各部材の構造も上述の例に限られず、同様の作用効果を奏する構造に形成してもよいことは当然である。
【符号の説明】
【００２１】
１  足くくり罠
２  罠ロープ
３  バネ部材
４  係止部材
５  固定部材
６  足踏み部材
【図１】
0003150246.tif 000003
【図２】
0003150246.tif 000004
【図３】
0003150246.tif 000005
【図４】
0003150246.tif 000006
【図５】
0003150246.tif 000007
【図６】
0003150246.tif 000008
【図７】
0003150246.tif 000009
【図８】
0003150246.tif 000010
【図９】
0003150246.tif 000011